【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
プレポリマーとフォーム形成成分の混合物から軟質ポリウレタンフォームを製造する方法であって、
前記プレポリマーを、少なくとも一種のポリオールに少なくとも一種の多官能性イソシアネートを反応させることにより製造し、
該プレポリマーが利用可能なＯＨ基を複数有する非フォーム化ポリオールプレポリマーであり、且つ、前記フォーム形成成分が少なくとも一種の多官能性イソシアネート及び水を含むことを特徴とする、軟質ポリウレタンフォームの製造方法。
【請求項２】
前記イソシアネートと反応して前記プレポリマーを生成する前記ポリオールが、少なくとも主としてポリエーテルポリオールであることを特徴とする請求項１に記載の方法。
【請求項３】
前記ポリエーテルポリオールが、少なくとも主としてプロピレンオキシド（ＰＯ）由来であることを特徴とする請求項１に記載の方法。
【請求項４】
前記ポリエーテルポリオールがトリオールであることを特徴とする請求項３に記載の方法。
【請求項５】
前記プレポリマーが、前記ポリオールの利用可能な全ての水酸基と反応するために必要な理論量の０．１から３０重量％の範囲の割合でイソシアネートを反応させることによって製造された低粘性プレポリマーであることを特徴とする請求項１から４のいずれか一項に記載の方法。
【請求項６】
前記割合が３重量％から２５重量％の範囲であることを特徴とする請求項５に記載の方法。
【請求項７】
前記プレポリマーが、前記ポリオールの利用可能な全ての水酸基と反応するために必要な理論量の３０重量％から９９重量％の範囲の割合でイソシアネートを反応させることによって製造された高粘性プレポリマーであることを特徴とする請求項１から４のいずれか一項に記載の方法。
【請求項８】
前記割合が３０重量％から５０重量％であることを特徴とする請求項７に記載の方法。
【請求項９】
前記プレポリマーとフォーム形成成分の混合物をガス処理または脱ガス処理して、製造したポリウレタンフォーム中に所定のセル数及び規則性を有するセル構造を生じさせることを特徴とする請求項７又は８に記載の方法。
【請求項１０】
前記プレポリマーを、一種又は複数種の更なるポリオールの存在下で前記フォーム形成成分と混合することを特徴とする請求項１から９のいずれか一項に記載の方法。
【請求項１１】
前記更なるポリオール又は前記更なるポリオールの各々がポリエーテルポリオールであることを特徴とする請求項１０に記載の方法。
【請求項１２】
前記更なるポリオールが、前記イソシアネートと反応させて前記プレポリマーを生成するために使用したポリオールと同じものであることを特徴とする請求項１０又は１１に記載の方法。
【請求項１３】
製造されたフォーム製品が１０から１００ｋｇ／ｍ３、特には１４から７０ｋｇ／ｍ３の密度を有することを特徴とする請求項１から１２のいずれか一項に記載の方法。
【請求項１４】
請求項１から１３のいずれか一項に記載の方法によって形成され、軟質フォームスラブストックの形態にあるフォーム製品。
【請求項１５】
請求項１から１４のいずれか一項に記載の方法によって形成され、成形体の形態にあるフォーム製品。
【請求項１６】
少なくとも一種のポリオールに少なくとも一種の多官能性イソシアネートを反応させることにより製造される軟質ポリウレタンフォームの製造に使用するための貯蔵安定性を有するプレポリマーであって、
前記イソシアネートの割合が、前記ポリオールの利用可能な全ての水酸基と反応するために必要な理論量のイソシアネートの０．１から９９重量％の範囲にあり、それによって、前記プレポリマーの先端に、更なるイソシアネートとの反応に利用可能なヒドロキシル基がついていることを特徴とする貯蔵安定性を有するプレポリマー。
【請求項１７】
前記割合が０．１重量％から３０重量％であることを特徴とする請求項１６に記載のプレポリマー。
【請求項１８】
前記割合が３重量％から１２重量％であることを特徴とする請求項１７に記載のプレポリマー。
【請求項１９】
前記割合が３０重量％から９９重量％であることを特徴とする請求項１６に記載のプレポリマー。
【請求項２０】
前記割合が３０重量％から５０重量％であることを特徴とする請求項１９に記載のプレポリマー。
【請求項２１】
前記ポリオールが、少なくとも主としてポリエーテルポリオールであることを特徴とする請求項１６から２０のいずれか一項に記載のプレポリマー。
【請求項２２】
前記ポリエーテルポリオールが、少なくとも主としてプロピレンオキシド由来であることを特徴とする請求項２１に記載のプレポリマー。
【請求項２３】
前記ポリエーテルポリオールがトリオールであることを特徴とする請求項２２に記載の方法。
【請求項２４】
５０，０００ｍＰａ．ｓ以下の粘度を有することを特徴とする請求項１６から２３のいずれか一項に記載のプレポリマー。
【請求項２５】
３５，０００ｍＰａ．ｓ以下の粘度を有することを特徴とする請求項２４に記載のプレポリマー。
【請求項２６】
前記粘度が５，０００ｍＰａ．ｓを超えることを特徴とする請求項２４又は２５に記載のプレポリマー。
【請求項２７】
前記粘度が７，０００ｍＰａ．ｓを超えることを特徴とする請求項２６に記載のプレポリマー。
【請求項２８】
前記粘度が２０，０００ｍＰａ．ｓ未満であることを特徴とする請求項２４に記載のプレポリマー。
【請求項２９】
前記粘度が７，０００ｍＰａ．ｓ未満であることを特徴とする請求項２８に記載のプレポリマー。
【請求項３０】
前記粘度が５，０００ｍＰａ．ｓ未満であることを特徴とする請求項２９に記載のプレポリマー。
【請求項３１】
プレポリマーとフォーム形成成分の混合物から軟質ポリウレタンフォームを製造する方法であって、
前記プレポリマーを、少なくとも一種のポリオールに少なくとも一種の多官能性イソシアネートを反応させることにより製造し、前記該プレポリマーは、粘度が２０，０００ｍＰａ．ｓ未満で、且つ前記ポリオールの利用可能な全ての水酸基と反応するために必要な理論量の０．１から３０重量％の範囲の割合でイソシアネートを反応させることによって製造された利用可能なＯＨ基を有する非フォーム化ポリオールプレポリマーであり、また、前記フォーム形成成分が少なくとも一種の多官能性イソシアネート及び水を含むことを特徴とする、軟質ポリウレタンフォームの製造方法。
【請求項３２】
プレポリマーとフォーム形成成分の混合物から軟質ポリウレタンフォームを製造する方法であって、
前記プレポリマーを、少なくとも一種のポリオールに少なくとも一種の多官能性イソシアネートを反応させることにより製造し、前記プレポリマーは、粘度が５，０００−５０，０００ｍＰａ．ｓの範囲であり、且つ前記ポリオールの利用可能な全ての水酸基と反応するために必要な理論量の３０から９９重量％の範囲の割合でイソシアネートを反応させることによって製造された利用可能なＯＨ基を有する非フォーム化ポリオールプレポリマーであり、また、前記フォーム形成成分が少なくとも一種の多官能性イソシアネート及び水を含むことを特徴とする、軟質ポリウレタンフォームの製造方法。
【請求項３３】
プレポリマーとフォーム形成成分の混合物から軟質ポリウレタンフォームを製造する方法であって、
前記プレポリマーを、少なくとも一種のポリオールに少なくとも一種の多官能性イソシアネートを反応させることにより製造し、前記プレポリマーは、粘度が１５，０００−３５，０００ｍＰａ．ｓの範囲であり、且つ前記ポリオールの利用可能な全ての水酸基と反応するために必要な理論量の３０から５０重量％の範囲の割合でイソシアネートを反応させることによって製造された利用可能なＯＨ基を有する非フォーム化ポリオールプレポリマーであり、また、前記フォーム形成成分が少なくとも一種の多官能性イソシアネート及び水を含むことを特徴とする、軟質ポリウレタンフォームの製造方法。
【請求項３４】
前記ポリオールが、少なくとも主としてプロピレンオキシド（ＰＯ）由来ポリエーテルポリオールであることを特徴とする請求項３１から３３の何れか一項に記載の方法。
【請求項３５】
少なくとも一種のポリオールに少なくとも一種の多官能性イソシアネートを反応させることにより製造される軟質ポリウレタンフォームの製造に使用するための貯蔵安定性を有するプレポリマーであって、
前記イソシアネートの割合が、前記ポリオールの利用可能な全ての水酸基と反応するために必要な理論量のイソシアネートの０．１から９９重量％の範囲にあり、それによって、前記プレポリマーの先端に、更なるイソシアネートとの反応に利用可能なヒドロキシル基がついており、未反応のポリオールをプレポリマーと希釈するために組み込むことを特徴とする貯蔵安定性を有するプレポリマー。